(57)【特許請求の範囲】
【請求項１】
１回の通水毎に、その回に通水した水の流量を表示する流量表示手段と、各回の通水流量を積算し、所定の積算値に到達したときにそれを知らせる表示を行う積算手段と、その積算値を初期化するリセットボタンとを備えた浄水器であって、前記流量表示手段は、通水終了後、所定の時間が経過した後に自動的に初期化されるとともに、通水終了後、前記所定の時間内に再度通水した場合は、記憶されている流量に該再度通水した水の流量が加算され、前記その回に通水した水の流量として表示するように構成されており、かつ、前記積算手段は、その積算値がカートリッジ寿命相当値に到達したときにカートリッジ交換を促進する表示を行うように構成されていることを特徴とする浄水器。
【請求項２】
流量表示手段は、通水によって回転するロータと、ロータの回転数を検出する検出器と、検出された回転数に基づいて流量を算出して表示する表示部材とを備えている、請求項１に記載の浄水器。
【請求項３】
流量表示手段は、濾材で処理した浄水の流量を表示する、請求項１または２に記載の浄水器。
【請求項４】
中空糸膜を含むものである、請求項１〜３のいずれかに記載の浄水器。
【請求項５】
流量表示手段は液晶表示部材を備えている、請求項１〜４のいずれかに記載の浄水器。
【請求項６】
カートリッジ交換を促進する表示がＬＥＤ表示であり、１回毎の通水流量がＬＣＤ表示である、請求項１〜５のいずれかに記載の浄水器。
【請求項７】
流量表示手段は１回の通水流量をデジタル表示するものである、請求項１〜６のいずれかに記載の浄水器。
【発明の詳細な説明】
【０００１】
【発明の属する技術分野】
本発明は、家庭等で好適に用いられる浄水器に関する
【０００２】
【従来の技術】
従来、水道水の水質が悪い地域では台所等に浄水器が設けられていることが多いが、浄水器の中には、浄水の使用水量を積算し、積算値がカートリッジの交換目安に到達すると使用者にカートリッジの交換を促す表示を行うものがある。
【０００３】
ところで、料理のためには規定量の水を必要とすることが多く、この場合、計量カップ等の計量器具を用い、一度、計量器具等に水を注いで水量を計った後、なべ等に移し替える必要がある。そのため、鍋などとは別に計量器具を用意したり使用後には洗浄しなければならず、また、水を注いだ直後は水面が一定しないので一旦水面を落ち着かせてから計量しなければならず、時間がかかり煩雑である。さらに、計量時に所望量を超える水を注いだ場合は超過した水を捨てなければならず、水や濾材の能力を浪費することになる。
【０００４】
【発明が解決しようとする課題】
本発明は、上述の問題点を鑑み、計量器具を使用することなく、必要な水量を簡単に計量することができる浄水器を提供することを目的とする。
【０００５】
【課題を解決するための手段】
上記課題を達成するために本発明は、１回の通水毎に、その回に通水した水の流量を表示する流量表示手段と、各回の通水流量を積算し、所定の積算値に到達したときにそれを知らせる表示を行う積算手段と、その積算値を初期化するリセットボタンとを備えた浄水器であって、前記流量表示手段は、通水終了後、所定の時間が経過した後に自動的に初期化されるとともに、通水終了後、前記所定の時間内に再度通水した場合は、記憶されている流量に該再度通水した水の流量が加算され、前記その回に通水した水の流量として表示するように構成されており、かつ、前記積算手段は、その積算値がカートリッジ寿命相当値に到達したときにカートリッジ交換を促進する表示を行うように構成されていることを特徴とする浄水器を特徴とするものである。
【０００６】
ここで、流量表示手段は、通水によって回転するロータと、ロータの回転数を検出する検出器と、検出された回転数に基づいて流量を算出して表示する表示部材とを備えているものであることが好ましい。
【０００７】
また、この浄水器は、流量表示手段が、濾材で処理した浄水の流量を表示するものであることが好ましく、原水流路と、浄水流路と、浄水流路に連通するように設けた濾材と、流入する原水をそのまま原水流路に通水するか浄水流路に通水するかを選択的に切り換える機構とともに止水機構を備えた流路切換弁と、その流路切換弁を操作する操作手段とを有し、流量表示手段は、操作手段により止水状態から通水を開始し終了するまでの間に流れた水の流量を表示するものであることが好ましく、操作手段がレバーを備えているものや、流量表示手段が、濾材で処理した浄水の流量を表示するものでも良い。
【０００８】
なお、ここでいう止水機構とは、通水を実質的に止めることができる機構であればよく、微量の水が漏れているような態様も含むものである。
【０００９】
そして、上記いずれかの浄水器について、中空糸膜を含むものであることや、流量表示手段が液晶表示部材を備えていることが好ましい。また、カートリッジ交換を促進する表示がＬＥＤ表示であり、１回毎の通水流量がＬＣＤ表示であることがより好ましい。さらに、流量表示手段は１回の通水流量をデジタル表示するものであることが好ましい。
【００１０】
【発明の実施の形態】
以下に、本発明の望ましい実施の形態を、図面を参照して説明する。図１は、本発明の一実施態様を示す浄水器の概略横断面図である。図２は、図１の浄水器の本体部の縦断面図である。図３は、図１の浄水器の別の縦断面図である。図４は濾過カートリッジの縦断面図である。
【００１１】
本発明の浄水器は、たとえば図１〜図３に示すように、流路の切換えを行う本体部１と、本体部１から導入された原水の浄化を行う濾過部２などから構成され、１回の通水毎に、その回に使用した水の流量を積算して表示する流量表示手段が設けられている。
【００１２】
本体部１は、水道蛇口に結合されて原水を受け入れる原水流入口５や、受け入れた原水をそのまま流出する原水流出口（原水ストレート口１９、原水シャワー口１７）および濾過部２への原水供給口９、濾過部２から浄水を受け入れる浄水受入口１１、選択流路の切換を行う流路切換弁３０、流路切換弁３０を操作する切換レバー４などを備えている。また、本体部１には、通水毎の通水開始からの積算流量を表示する液晶表示部２８などの流量表示手段や、原水ストレート、原水シャワー、浄水など選択した流路を表示する選択流路表示窓（図示しない）などが設けられている。
【００１３】
流量表示手段は、浄水受入口１１から浄水流出口２０までの管路２３内に設けられ、水の流れによって回転するロータ２４と、ロータに内挿されたマグネット２５と、ロータ２４の回転を検出する検出器２６と、検出器２６の信号から通水毎の通水開始からの流量を算出する制御回路２７と、算出された流量を表示する液晶表示部２８と、検出器２６、制御回路２７、液晶表示部２８のための電源２９とによって構成され、濾材によって処理される水の流量を積算して表示するように構成されている。
【００１４】
次に、濾過部２は、図４に示す濾過カートリッジが収納され、本体部１の原水供給口９と濾過カートリッジの原水受入口１０とが連結され、本体部１の浄水受入口１１と濾過カートリッジの浄水供給口５０とが連結するように構成されている。
【００１５】
濾過カートリッジは、図４に示すように、容器３２の中に、受け入れた原水中の塩素臭などを吸着除去する吸着剤２１や、細菌等を濾過する中空糸膜束２２などの濾材が収納されて構成されている。中空糸膜は、複数本が束ねられて逆Ｕ字状に折り曲げられて円筒体３３の中に収納されており、その両端部は、円筒体３３の下部にて各中空糸膜間および中空糸膜と円筒体３３との間に充填された硬化性樹脂３７（封止剤）により封止固定（ポッティング）されている。
【００１６】
各中空糸膜は、容器３２へ嵌入する前にポッティング部が一部切断除去されているので、末端が浄水供給口５０に向かって開口している。また、円筒体３３と容器３２の内壁面との間に、活性炭、ゼオライト、イオン交換樹脂、キレ−ト樹脂などからなる吸着剤２１が配備されている。
【００１７】
容器３２の内部底面に円筒状突起３２ａが形成され、円筒体３３の下端がＯリング３４を介して嵌入立設され、この円筒体３３の外周上下部には、円筒体３３の外周面と容器３２の内壁面との間を通過する原水の処理を行う吸着剤層２１を保持するためのリング状のフィルタ３５、３６が固定されている。また、容器３２の上部は、中空糸膜束２２と吸着剤を容易に充填できるよう開口しており、中空糸膜の汚れ具合が外部からよく見えるように透明キャップ３８が嵌入されている。
【００１８】
上記の本発明の浄水器において、水道蛇口から原水流入口５を通って本体部１に流入した水道水（原水）は、切換レバー４の動作により、浄化されていないストレート状の水（原水ストレート）、浄化されていないシャワー状の水（原水シャワー）、あるいは原水供給口９から濾過部２を通り浄水流出口２０より流出される浄水との３種類に切り換えられ吐出される。このとき、選択流路表示窓において吐出水の水の状態（原水ストレート、原水シャワー、浄水）を表示する。
【００１９】
本体部１の切換レバー４の操作により濾過部２に供給された原水は、活性炭、ゼオライト、イオン交換樹脂、キレート樹脂などからなる吸着材２１を通過する際に塩素や鉛等が除去され、その後、中空糸膜束２２により細菌等が濾過されて、浄水供給口５０、浄水受入口１１、管路２３を通って浄水流出口２０から吐出される。
【００２０】
このとき、管路２３を通る浄水はロータ２４を回転させる。これに伴い、ロータ２４に内装したマグネット２５による磁束密度が変化するので、磁束密度の変化すなわちロータ２４の回転を検出器２６で検知して制御回路２７に信号を発信する。制御回路２７は、検出器２６から発信された信号に基づいてロータ２４の回転数をカウントし、カウントした回転数と予め入力されているロータ２４の１回転あたりの水量とから、その回に使用した水の流量を算出し、液晶表示部２８にその流量を表示する。
【００２１】
そして、これら液晶表示部２８、制御回路２７は、通水終了後、所定時間、たとえば３〜５秒程が経過した後には自動的にリセットされ初期状態に戻るように構成されており、再度通水を開始すると初期化された状態から通水流量を算出、表示する。所定時間以内に再度通水を開始した場合には、制御回路２７および液晶表示部２８がリセットされていないので、引き続いてロータ２４の回転数カウントし、流量を表示することになる。すなわち、通水終了後、制御回路２７において所定時間内は算出し流量が記憶され、所定時間内に再度濾過水を通水した場合は、記憶されている流量に加算されることになる。
【００２２】
このように、本発明において、流量表示手段は、１回の通水毎に、その回に通水した水の流量を表示するので、調理、炊事の際に使用する規定量の水量を、他の調理器具等を用いることなく非常に容易に計ることができ、時間的に効率がよい。また、調理器具を使用した場合に必要となる、器具の洗浄など、煩わしさもなくなる。また、所定時間が経過した後に初期化するように構成すると、所望水量より不足している時点で水栓を閉じてしまった場合にも、再度水栓を開いて追加して浄水を得れば合計の水量を知ることができ、微妙な水量の追加調整も容易に行うことができる。
【００２３】
次に、流路切換弁３０について説明する。流路切替弁３０は、図１、図３に示すように、ボール（弁体）７ａ〜７ｃと、それらボール７ａ〜７ｃを移動させて各通水路を開閉するカム部６ａ〜６ｃを備えた弁軸１６を備えている。弁軸１６は、ラチェット機構などにより切換レバー４の一方向のみの回動に応じて作動するように構成されており、また、一方向に回動された切換レバー４が初期位置に自動的に戻るように、切換レバー４の支持点にねじりコイルバネなどを設けることが好ましい。さらに、切換レバー４の一方向のみの回動にともなって切り換わる表示リングを設けられている（図示しない）。表示リングは、選択流路表示窓を通して見えるように構成されている。切替レバー４の回動は、駆動歯車１４および平歯車１５によって弁軸１６に伝達され、駆動歯車１４によって表示リングに伝達される。
【００２４】
図２は、原水が濾過部２で濾過され浄水として吐出される状態を示しており、カム部６ａがボ−ル７ａを押し上げて濾過部２への通水路を開放するとともに、原水ストレート口への通水路および原水シャワー口への通水路は、ボール７ｂ、７ｃによって閉鎖されている。したがって、浄水器に流入した原水は、濾過部２に流れて浄化される。このとき選択流路表示窓を通して見える表示リングには「浄水」と表示されている。
【００２５】
次に、この状態から、切換レバ−４を回動させると、切換レバー４の回動に伴って弁軸１６が回動し、カム６ａに代わってカム６ｃが上方を向き、ボール７ｃを押し上げる。これにより、濾過部２に連通する通水路は閉鎖され原水シャワー口に連通する通水路が開放される。この結果、原水は原水シャワ−口１７から吐出される。このとき選択流路表示窓を通して見える表示リングには「シャワー」と表示されている。
【００２６】
切換レバ−４から指を離すと、切換レバ−４はねじりコイルばねの復元力により逆方向に回動し、初期位置に戻って停止する。このとき、ラチェット機構を介して接続された駆動歯車１４、表示リング及び弁軸１６は回動しない。
【００２７】
切換レバ−４をもう一度押し下げると、上述したように表示リングが回動し、同時に弁軸１６が回動して、カム６ｃに代わってカム６ｂが上方を向き、ボール７ｂを押し上げる。これにより、原水シャワー口に連通する通水路は閉じ、原水ストレート口に連通する通水路が開く。この結果、原水は原水ストレ−ト口１９から吐出される。このとき選択表示部材から見える表示リングには、「原水」と表示されている。
【００２８】
なお、切換レバー４を両端支持型でも片端支持型でもよく、また、選択流路の切換機構は、ラチェット機構の他、ワンウェイクラッチなど任意の機構を用いることができる。
【００２９】
また、本発明は、図５〜図９に示すように変形実施することができる。
【００３０】
図５は、本発明の他の実施態様を示す浄水器の概略斜視図である。図６は、図５に示す浄水器の本体部１０１の横断面図、図７は、図６に示す流量測定部１１２の模式図、図８は、図６に示す流路切換弁１１１の切換操作時の状態を示す模式図、図９は、図８に対応する切換操作時の切換レバー１３０の状態を示す模式図である。
【００３１】
図５に示す浄水器は、本体部１０１と濾過部１０２とから構成されており、本体部１０１には、流路切換弁１１１、流路切換弁１１１を操作する切換レバー１３０、流量表示手段を構成する流量測定部１１２、制御回路１１３、表示部１１５、電源となる電池を保持する電池ホルダ１１４および制御回路１１３のリセットボタン１１６などが設けられている。また、本外部１０１には、所望時に流路測定を行えるように測定スイッチが設けられている。測定スイッチは、ばねを介して本体部１０１に固定され、手で押された切換レバー１３０が測定スイッチに当接しばねを縮めることでｏｎとなるように、また、切換レバーから手を離しばねの復元力で切換レバー１３０が戻り始めたときにｏｆｆとなるように構成されている。
【００３２】
流路切換弁１１１は、切換レバー１３０、弁軸１３１、ボール（弁体）１３２ａ、１３２ｂ、１３２ｃによって構成されている。切換レバー１３０の回動操作によって弁軸１３１が回動し、先の実施態様と同様に、弁軸１３１に設けたカム部１３３ａ〜１３３ｄが、ボール１３２ａ、１３２ｂ、１３２ｃのいずれかを押し上げ、対応する原水ストレート、原水シャワー、浄水の流路のいずれかを開放する。
【００３３】
また、本実施態様では、切換レバー１３０によって弁軸１３１を回動しても、所定位置ではいずれのボールも押し上げられないように、すなわち、止水されるように、また、別の所定位置では浄水の流量測定を行うように、カム部を設けている。以下、具体的に説明する。
【００３４】
図８に示すように、弁軸１３１にはカム部１３３ａ〜１３３ｄをたとえば４か所に設け、内３か所（カム部１３３ａ〜１３３ｃ）は７２°ずつ位相をずらし、残り１か所（１３３ｄ）は、カム部１３３ｃから１０８°ずらして配置している。
【００３５】
したがって、切換レバー１３０を回動し、図９（ａ）に示すように「原水ストレート」の位置に合わせた場合には、図８（ａ）に示すようにカム部１３３ｃがボール１３２ｃを押し上げて、原水をそのままストレート状に流出する。このとき、他の流路はボール１３２ａ、ｂによって閉鎖されている。
【００３６】
続いて、切換レバー１３０を７２°回動し、図９（ｂ）に示すように「原水シャワー」の位置に合わせた場合には、図８（ｂ）に示すようにカム部１３３ｂがボール１３２ｂを押し上げて、原水をシャワー状に流出する。このとき、他の流路はボール１３２ａ、ｃによって閉鎖されている。
【００３７】
さらに、切換レバー１３０を７２°回動し、図９（ｃ）に示すように「浄水」の位置に合わせた場合には、図８（ｃ）に示すようにカム部１３３ａがボール１３２ａを押し上げて浄水流路を開放するので、原水が濾過部１０２に導かれ、先の実施態様にて説明したように浄化されて浄水として取り出される。このとき、他の流路はボール１３２ｂ、１３２ｃによって閉鎖されている。
【００３８】
以上は、水の使用水量を測定しない場合の使用方法である。
【００３９】
次に、水、特に本実施態様では浄水の使用水量を測定する場合について説明する。
【００４０】
切換レバー１３０を図９（ｃ）の状態からさらに同方向に７２°回動し、一旦、図９（ｄ）に示すように「止水」の位置に合わせる。このとき、ボール１３２ａ〜１３２ｃは図８（ｄ）に示すようにいずれのカム部１３３ａ〜１３３ｃによっても押し上げられないので、原水シャワー、原水ストレート、浄水のいずれの流路も閉鎖される。したがって、浄水器としては止水された状態となる。
【００４１】
この状態から、さらに切換レバー１３０を３６°回動させると、図９（ｅ）に示すように、切換レバー１３０が、本体部１０１にばね１３５を介して設けた測定スイッチ１３４に当接する。そして、切換レバー１３０を測定スイッチに当接させた状態を保つとき、カム部１３３ｄは図８（ｅ）に示すようにボール１３２ａを押し上げて浄水流路を開放し、原水を濾過部１０２に導き浄化して流出する。他の流路はボール１３２ｂ、１３２ｃによって閉鎖され、また、ばね１３５が収縮された状態が保たれるので、浄水流量が測定される。必要流量の浄水を得た後に切換レバー１３０から手を離すと、ばね１３５の復元力により切換レバー１３０は自動的に「止水」の位置に復帰し、浄水の流出が停止されるとともに流量測定が終了する。
【００４２】
浄水の流量は図７などに示す流量測定部１１２によって測定される。これは、原水を濾過部１０２へ導くための管路内に配置したロータ１２１と、ロータ１２１に埋め込んだマグネット１２２と、ロータ１２１の回転を検出する、管路の外周でかつロータ１２１の近傍に設けられたリードスイッチ（検出器）１２３などからなる。
【００４３】
原水が濾過部１０２に導かれると、ロータ１２１が水流によって回転し、これと一体的にマグネット１２２も回転する。これに伴いロータ１２１の近傍の磁束密度が変化するので、リードスイッチ１２３はＯＮ／ＯＦＦを繰り返す。リードスイッチ１２３のＯＮ／ＯＦＦ信号（パルス信号（ｐ））は、制御回路１１３にリード線を介して送られる。制御回路１１３では、リードスイッチのＯＮ／ＯＦＦの回数をカウントし（積算パルスＰ）、これを流量に換算して（流量換算Ｑ）、測定スイッチ１３４がＯＮの状態であれば、この換算値を表示部１１５に送る。カウントされたリードスイッチのＯＮ／ＯＦＦの回数は、通水終了後、所定の時間が経過した後に自動的に初期化される（Ｐ＝０、Ｑ＝０）。
【００４４】
また、この流量の測定結果は制御回路１１３内で記憶され、順次積算される（積算流量Ｓ）。この積算値が濾過部１０２に設けたカートリッジの交換目安に達した場合には、制御回路１１３からカートリッジ交換サイン点灯のための信号が表示部１１５に送られる。なお、制御回路１１３に記憶されている積算値は、カートリッジ交換後にリセットボタン１１６を押すことでリセットされる（Ｐ＝０、Ｑ＝０、Ｓ＝０）。
【００４５】
以上のような一連の動作はたとえば図１０に示されるようなアルゴリズムのプログラムで制御される。
【００４６】
表示部１１５は、カートリッジ交換目安表示用のＬＥＤ１５１と、浄水流量表示用のＬＣＤ１５２と、電池交換サイン用のＬＥＤ１５３などを備えており、浄水流量表示用のＬＣＤ１５２は、バックライト付きカラー液晶で浄水流量をデジタル表示するものなどが好ましい。これらの表示機能は視覚的なものの他、必要に応じてブザー、音声などで表示するものでもよく、また、視覚的表示と聴覚的表示とを組み合わせてもよい。
【００４７】
電池ホルダ１１４は、内部に電池を保持し、制御回路１１３や表示部１１５に電源を供給する。電池としては小型化のためにボタン型リチウム電池を用いるのが好ましいが、携帯電話などに使用されているような充電式のバッテリーや、家庭のコンセントを電源としてもよい。
【００４８】
さらに、本発明は、以下のように変形実施することができる。
（１）前述の実施態様は、濾材によって処理された浄水の流量を表示するものについて説明したが、浄水器を通過する水の流量、すなわち、原水、浄水、いずれであっても１回の通水毎に使用した水の流量を積算・表示するように、たとえばロータを原水流入口付近に設け、原水路で水検出を行うように構成してもよい。
（２）前述の実施態様では弁体にボ−ルを用いた切換弁としたが、ゴムパッキンやＯリングを回動軸に装着した切換弁でもよい。
（３）前述の実施態様における液晶表示部は、機械カウンター式など任意の表示装置などを用いることができる。
【００４９】
【発明の効果】
以上のように、本発明の浄水器は、１回の通水毎に、その回に通水した水の流量を表示するので、調理、炊事の際に使用する規定量の水量を、他の調理器具等を用いることなく非常に容易に計ることができ、時間的に効率がよい。また、調理器具を使用した場合に必要となる、器具の洗浄など、煩わしさを減らすことができる。さらに、所定時間が経過した後に初期化するように構成すると、所望水量より不足している時点で水栓を閉じてしまった場合にも、再度水栓を開いて追加して浄水を得れば合計の水量を知ることができ、微妙な水量の追加調整も容易に行うことができる。
【００５０】
さらに、止水機構を備えた流路切換弁と、その流路切換弁を操作する操作手段とを用い、操作手段により止水状態から通水を開始し終了するまでの間に流れた水の流量を表示するように構成する場合には、操作手段により流水を簡単に停止することができ、また、流量測定の開始、終了操作を操作手段の動きと連動させることができるので、簡単な操作で所望の量の水を得ることができる。さらに、止水状態から操作手段で水を流出するようにするとともに流量測定を行うので、水や濾材を無駄にすることなく、正確に計量することができる。
【００５１】
特に操作手段としてレバーを用いる場合には、簡単な構造にもかかわらず片手で操作ができ操作性がよい。さらに、切換レバーをばね等で自動的に「止水」の位置に復帰するように構成すると、ばねから手を離しただけで止水ができ、より確実的に余分な水を流すことを防ぐことができる。
【図面の簡単な説明】
【図１】本発明の一実施態様に係る浄水器の概略横断面図である。
【図２】図１に示す浄水器のＸ−Ｘ断面図である。
【図３】図１に示す浄水器のＹ−Ｙ断面図である。
【図４】図１の浄水器に装填する濾過カートリッジの概略縦断面図である。
【図５】本発明の他の実施態様を示す浄水器の概略斜視図である。
【図６】図５に示す浄水器の本体部１０１の横断面図である。
【図７】図６に示す流量測定部１１２の模式図である。
【図８】図６に示す流路切換弁１１１の切換操作時の状態を示す模式図である。
【図９】図８に対応する切換操作時の切換レバー１３０の状態を示す模式図である。
【図１０】流量測定に関するアルゴリズムの一例を示すフローチャートである。
【符号の説明】
１  ：本体部             ２  ：濾過部
４  ：切換レバー         ５  ：原水流入口
６ａ〜６ｃ：カム部
７ａ〜７ｃ：ボール（弁体）
８ａ〜８ｃ：通水路
９  ：原水供給口
１０  ：原水受入口       １１  ：浄水受入口
１３  ：表示リング       １４  ：駆動歯車
１５  ：平歯車      １６  ：弁軸
１７  ：原水シャワー口    １９  ：原水ストレート口
２０  ：浄水流出口       ２１  ：吸着材
２２  ：中空糸膜束       ２３  ：管路
２４  ：ロータ           ２５  ：マグネット
２６  ：検出器           ２７  ：制御回路
２８  ：液晶表示部       ２９  ：電源
３０  ：流路切換弁部     ３２  ：容器
３２ａ：円筒状突起       ３３  ：円筒体
３４  ：Ｏリング         ３５  ：フィルタ
３６  ：フィルタ         ３７  ：硬化性樹脂
３８  ：透明キャップ     ５０  ：浄水供給口
１０１：本体部         １０２  ：濾過部
１１１：流路切換弁     １１２  ：流量測定部
１１３：制御回路       １１４  ：電池ホルダ
１１５：表示部         １１６  ：リセットボタン
１２１：ロータ         １２２  ：マグネット
１２３：リードスイッチ １３０：切換レバー
１３１：弁軸
１３２ａ〜１３２ｃ：ボール（弁体）
１３３ａ〜１３３ｃ：カム部
１３４：測定スイッチ
１３５：ばね
１５１：カートリッジ交換目安表示のＬＥＤ
１５２：浄水流量表示用のＬＣＤ
１５３：電池交換サイン用のＬＥＤ
【図１】
0003731530.tif 000002
【図２】
0003731530.tif 000003
【図３】
0003731530.tif 000004
【図４】
0003731530.tif 000005
【図５】
0003731530.tif 000006
【図６】
0003731530.tif 000007
【図７】
0003731530.tif 000008
【図８】
0003731530.tif 000009
【図９】
0003731530.tif 000010
【図１０】
0003731530.tif 000011